(57)【特許請求の範囲】
【請求項１】
複数ユーザにより操作される成形機が複数備えられており、該複数の成形機を操作する複数のユーザを職種に応じて階層的に複数のグループに選別し、該選別されたグループに応じて、グループごとに付与した特定の操作項目が表示部に表示されるよう設定された成形機の操作方法であって、
前記複数の成形機のうち、何れか一つの成形機に外部メモリを接続し、該外部メモリを接続した前記成形機の表示部に、表示したい操作項目を選択可能な画面選択画面を表示し、
該画面選択画面で選択された操作項目と、前記表示部に表示したパスワード画面で入力したユーザ名及びパスワードとを、前記成形機に接続した前記外部メモリに記憶しておき、
前記選択された操作項目、前記ユーザ名及び前記パスワードを前記外部メモリに記憶するときに使用した前記何れか一つの成形機とは異なる他の成形機を使用するときに、
当該他の成形機に、前記選択された操作項目、前記ユーザ名及び前記パスワードが記憶された前記外部メモリを接続し、
当該外部メモリが接続された状態で、当該他の成形機の表示部にパスワード画面を表示し、該パスワード画面のパスワード入力欄で入力したパスワードが、当該他の成形機に接続された前記外部メモリに記憶されているパスワードと一致しているとして判定されたとき、当該他の成形機の表示部に、前記外部メモリに記憶されている前記選択された操作項目を表示することを特徴とする成形機の操作方法。
【請求項２】
前記他の成形機から前記外部メモリを取り外して非接続状態にしたとき、
当該外部メモリを取り外して非接続状態にしたことに基づき、前記他の成形機の表示部に表示されている操作項目は、非表示に切り替わることを特徴とする請求項１に記載の成形機の操作方法。
【請求項３】
前記他の成形機の表示部に表示されている操作項目が非表示に切り替わったとき、
前記複数のグループのうち最下位のグループに付与されている特定の操作項目が前記他の成形機の表示部に表示されることを特徴とする請求項２に記載の成形機の操作方法。
【発明の詳細な説明】
【技術分野】
【０００１】
本発明は、成形機を使用するユーザが複数存在する成形機の操作方法であって、当該複数のユーザをグループごとに選別し、ユーザの属するグループに応じて表示制限がある成形機における操作方法に関する。
【背景技術】
【０００２】
例えば射出成形機に代表される物品の成形・加工を行う成形機は、その動作が制御手段であるマイコンにより制御され、高い生産性を有し且つ成形品の高精度化が図られている。このようなマイコン制御の成形機は、その動作条件が予め設定される必要があり、当該設定された動作条件に従って成形機は稼働される。従って、「動作条件」が誤設定されたり、若しくは故意に間違った設定に変更されてしまうと、装置が誤動作を起こしてしまう。このような問題に関する従来技術が特許文献１などによって開示されている。
【先行技術文献】
【特許文献】
【０００３】
【特許文献１】特開２００４−１５５０６６号公報
【発明の概要】
【発明が解決しようとする課題】
【０００４】
ところで、上記した特許文献１によって開示される従来技術は、「動作条件（システムパラメータ）」をグループ化することで、所定の動作条件（システムパラメータ）の設定・変更操作に対しては２重（複数）のパスワードを必要とするようにすることで、「動作条件」の設定・変更の操作が誤って行われることを防止するものである（なお、特許文献１では「システムパラメータ」のユーザによる変更は本来できないものであるとされている）。これによれば、誤った操作からの保護というセキュリティの面では優れているといえるが、段階的なグループ化を行うような場合には、パスワードが複数必要となる（例えばグループ数が５段階とした場合には、グループ数に応じて５つのパスワードが必要となる）ため操作性の面では煩雑となってしまう場合があった。
【０００５】
また、上記したようなマイコン制御の成形機は、その動作条件の設定・変更の操作の他にも、成形機を稼働させる操作、成形機の保守・管理のための操作などの各種操作が行われるものであり、それぞれの操作に精通した（分業化された）複数のユーザがいる場合が多い。すなわち、各成形品に合わせた成形機の成形条件の設定や変更を行う成形担当者、成形機の初期設定や保守のための基本設定等のセットアップを行うサービスマン、単に成形機の稼働（運転起動／停止）を行う運転担当者、成形機やユーザの管理を行う工場長などの管理者等々、複数のユーザが存在しているが、セキュリティ管理のために、複数のユーザをグループ化し、各グループごとに特定の表示や操作のみ行えるよう制限を与えた場合において、例えば、特定の者が、複数のグループにまたがった表示や操作を行おうとすると、その都度、各グループごとのユーザとして、いちいちパスワードを入力してログインしなければ、所望の操作が行うことができないことから、煩雑な操作を要することになってしまったり、さらには、必要以上に表示しなければならない画面が増えたりするために、操作性を悪くしてしまう虞があった。
【０００６】
本発明は、上記課題に鑑みてなされたものであり、成形機を使用するユーザが複数存在し、セキュリティ上の観点から、ユーザの属するグループに応じて表示に制限のある成形機の操作方法において、セキュリティの向上を図りながらも操作性を向上させた成形機の操作方法を提供することを目的とする。
【課題を解決するための手段】
【０００７】
本成形機の操作方法の発明は、
複数ユーザにより操作される成形機が複数備えられており、該複数の成形機を操作する複数のユーザを職種に応じて階層的に複数のグループに選別し、該選別されたグループに応じて、グループごとに付与した特定の操作項目が表示部に表示されるよう設定された成形機の操作方法であって、
前記複数の成形機のうち、何れか一つの成形機に外部メモリを接続し、
該外部メモリを接続した前記成形機の表示部に、表示したい操作項目を選択可能な画面選択画面を表示し、
該画面選択画面で選択された操作項目と、前記表示部に表示したパスワード画面で入力したユーザ名及びパスワードとを、前記成形機に接続した前記外部メモリに記憶しておき、
前記選択された操作項目、前記ユーザ名及び前記パスワードを前記外部メモリに記憶するときに使用した前記何れか一つの成形機とは異なる他の成形機を使用するときに、
当該他の成形機に、前記選択された操作項目、前記ユーザ名及び前記パスワードが記憶された前記外部メモリを接続し、
当該外部メモリが接続された状態で、当該他の成形機の表示部にパスワード画面を表示し、該パスワード画面のパスワード入力欄で入力したパスワードが、当該他の成形機に接続された前記外部メモリに記憶されているパスワードと一致しているとして判定されたとき、当該他の成形機の表示部に、前記外部メモリに記憶されている前記選択された操作項目を表示することを特徴とする。
【０００８】
さらに、本成形機の操作方法の発明は、
前記他の成形機から前記外部メモリを取り外して非接続状態にしたとき、
当該外部メモリを取り外して非接続状態にしたことに基づき、前記他の成形機の表示部に表示されている操作項目は、非表示に切り替わることを特徴とする。
【０００９】
さらに、本成形機の操作方法の発明は、
前記他の成形機の表示部に表示されている操作項目が非表示に切り替わったとき、
前記複数のグループのうち最下位のグループに付与されている特定の操作項目が前記他の成形機の表示部に表示されることを特徴とする。
【発明の効果】
【００１０】
本発明によれば、ユーザの属するグループに応じて、特定の操作項目が表示されるよう制限が設定されている成形機が複数ある場合において、操作項目、ユーザ名及びパスワードを記憶した外部メモリを、使用したい成形機に接続して、その状態でパスワードを入力し、入力されたパスワードが、成形機に接続中の外部メモリに記憶されたパスワードと一致しているとして判定された場合、表示部に操作項目を表示することができる。よって、例えば、成形機が多数ある場合において、各成形機に対し外部メモリを接続してパスワードを入力することにより、各成形機で簡単に操作項目を表示することが可能であり利便性が高い。
【００１１】
さらに、成形機に外部メモリを接続して、パスワード画面のパスワード入力欄で入力したパスワードが、外部メモリに記憶されたパスワードに一致するか否かの判定が行われ、一致しているとして判定されたときには、外部メモリに記憶されている操作項目が表示部に表示されることになるのだが、パスワードが一致するか否かの判定のみに基づいて、操作項目が表示部に表示されるのではなく、操作項目、ユーザ名及びパスワードを記憶した外部メモリ自体が、表示部に操作項目を表示するための要件となっており、すなわち当該外部メモリが鍵の代わりとなっており、それによりセキュリティ上の安全性を高めることができる。
【００１２】
さらに、操作項目、ユーザ名及びパスワードを記憶した外部メモリが成形機に接続され、操作項目が表示部に表示されているときに、成形機から外部メモリを取り外して非接続状態になったときには、これに基づき、成形機の表示部に表示されていた操作項目は非表示に切り替わることから、セキュリティ上の安全性を高めることができる。そして、操作項目が非表示に切り替わったときには、複数のグループのうち最下位のグループに付与されている特定の操作項目が成形機の表示部に表示されることから、比較的重要性の低い最下位のグループに付与されている特定の操作項目が表示部に表示されることで、セキュリティ上の安全性を保ちながらも、利便性の向上を図ることができる。
【図面の簡単な説明】
【００１３】
【図１】本発明の射出成形機を示す概略構成図である。
【図２】射出成形機の制御系統の構成を示すブロック図である。
【図３】グループとユーザの職種との関係を示す説明図である。
【図４】「シンプル」のグループの特定の操作項目を示す説明図である。
【図５】「メンテナンス」のグループの特定の操作項目を示す説明図である。
【図６】射出成形機の操作方法を示す説明図である。
【図７】射出成形機の操作方法を示す説明図である。
【図８】射出成形機の操作方法を示す説明図である。
【図９】射出成形機の操作方法を示す説明図である。
【図１０】射出成形機の操作方法を示す説明図である。
【図１１】射出成形機の操作方法を示す説明図である。
【図１２】射出成形機の操作方法を示す説明図である。
【発明を実施するための形態】
【００１４】
以下、本発明の実施形態を図１〜図１２により以下に説明する。もちろん、本発明は、その発明の趣旨に反しない範囲で、実施形態において説明した以外の構成のものに対しても容易に適用可能なことは説明を要するまでもない。
【００１５】
図１に示す本発明の一例の射出成形機１は、粒状の熱可塑性樹脂を原料として成形体を製造するものであり、射出成形機１の機台２上には、射出ユニット３、型締ユニット４が配設されている。
【００１６】
型締ユニット４には、固定ダイプレート５に装着された固定金型６に対し可動ダイプレート７に装着された可動金型８を前進後退させ型締（型閉）及び型開を行う型開閉機構を備える。本実施形態における型開閉機構としては、図示しないモータの駆動力を駆動源としてトグルリンク機構９を屈曲作動することで、固定金型６に対して可動金型８を繰り返し型開閉する。
【００１７】
また、射出ユニット３には、先端に射出ノズル１０の装着された筒型の加熱シリンダ１１を備える。加熱シリンダ１１内に供給された熱可塑性樹脂は、加熱シリンダ１１内に設けられたスクリュー１２により加熱されながら混練され、計量されたのち、型閉された金型のキャビティに射出される。
【００１８】
射出成形機１には、図２に示すように、射出成形機１の動作条件や画面表示情報などが格納される記憶部１６、当該動作条件に従って射出成形機１の動作の制御を行う機構制御部１７、射出成形機全体の制御を行う制御部１８、ユーザに対する出力インターフェースである表示部２０とユーザからの入力を受ける入力インターフェースである入力部２１が兼用されたタッチパネル２２、表示部２０の表示制御などを行う画面表示処理部２３、入力部２１からの信号の判別などを行う入力処理部２４、射出成形機１とは別体のＵＳＢメモリ（外部メモリ）３０を接続するためのＵＳＢポート（接続部）２５などを備える。
【００１９】
また、本実施形態の射出成形機１においては、図３に示すように、当該射出成形機１を操作するユーザの職種に応じて、ユーザを階層的に複数のグループに選別し、選別されたグループに応じて、グループごとに付与した特定の操作項目が、図４、５に示すように、表示部２０に表示したメニュー画面３１に表示されるよう設定できるようになっている。なお、グループに応じた特定の操作項目をメニュー画面３１に表示するためには、その度に、タッチパネル２２の操作により「ユーザ名」と「パスワード」を入力してログイン認証を行う必要がある。また、本実施形態における階層分けした複数のグループは、図３に示す、「１」の「製作者」が最も上位階層で、「１」〜「６」の順に階層が低くなり、「６」の「シンプル」が最も下位階層となっている。そして、こうしたグループに応じた設定を予め行うと、これらの設定情報は記憶部５０に記憶される。
【００２０】
ここで、グループごとに付与した特定の操作項目をメニュー画面３１に表示した例について、図４、５により説明する。例えば、「６」の「シンプル」のグループに付与した特定の操作項目としては、図４のメニュー画面３１に示すように、「射出・可塑化」、「型開閉・ＥＪ」、「温度設定」、「生産管理」、「交換」、「点検画面」、「パスワード」であり、また、「４」の「メンテナンス」のグループに付与した特定の操作項目としては、図５のメニュー画面３１に示すように、「射出・可塑化」、「型開閉・ＥＪ」、「温度設定」、「生産管理」、「射出グラフ」、「モニタ」、「交換」、「点検画面」、「オプション動作」、「パスワード」、「可塑化補助」、「中子」、「ヒータ自動投入」、「動作工程」、「可塑化グラフ」、「モニタ項目」、「１０モニタ画面」、「アラーム履歴」、「オプション信号」、「言語切替」、「エア」、「１サイクルグラフ」、「モニタ表示」、「射出圧縮」、「通信ポート設定」、「型開閉オプション」、「設定履歴」、「１サイクルロジック」、「モニタグラフ」、「成形ナビ」、「ゲートカット」、「時刻設定」、「１サイクルグラフ項目選択」、「モニタ予備」、「オプション確認」、「粘度測定」、「単位設定」、「１サイクルロジック項目選択」、「成形条件診断」、「メニュー２」である。このように、最も下位階層の「シンプル」のグループに付与した特定の操作項目というのは、それよりも上位階層の「メンテナンス」等のグループに付与した特定の操作項目も少なく、本実施形態においては、ユーザの職種が「初級  成形担当者」である「シンプル」のグループが最も重要度の低いグループとなる。
【００２１】
次に、グループごとに付与した特定の操作項目が表示部２０のメニュー画面３１上に表示されるよう設定されている射出成形機１が複数あることを前提に、ＵＳＢ３０メモリを用いて、射出成形機１の表示部２０のメニュー画面３１上に所望する操作項目を表示するときの操作方法について、図６〜図１２を用いて以下に説明する。
【００２２】
先ず、ＵＳＢメモリ３０を用いて、表示部２０のメニュー画面３１上に操作項目を表示可能にするため、複数の射出成形機１のうち、何れか一つの射出成形機１のＵＳＢポート２５に対し、ＵＳＢメモリ３０を接続する。次に、図６に示すように、ＵＳＢメモリ３０を接続した射出成形機１の表示部２０に画面選択画面３２を表示し、画面選択画面３２の上部にある「画面選択」の「ＯＦＦ」の表示を「ＯＮ」へと切り替える。
【００２３】
次に、画面選択画面３２に表示されている複数の操作項目（「可塑化補助」、「条件一覧」、「中子」、「エア」、「型開閉オプション」、「ヒータ自動投入」、「金型温度」、「動作工程」、「条件記憶」、「設定履歴」、「射出グラフ」、「可塑化グラフ」、「１サイクルグラフ」、「１サイクルグラフ項目選択」、「１サイクルロジック項目選択」、「グラフ予備」、「モニタ」、「モニタ項目」、「モニタ表示」、「モニタグラフ」、「モニタ予備」、「１０モニタ画面」、「成形ナビ」、「オプション確認」、「成形条件診断」、「アラーム履歴」、「オプション動作」、「オプション信号」、「射出圧縮」、「ゲートカット」、「粘度測定」、「言語切替」、「通信ポート設定」、「時刻設定」、「単位設定」、「チェック１」、「半固定値記録」、「半固定値１」、「半固定値２」、「温調ＰＩＤ」、「温調ＰＩＤ２」、「温調ＰＩＤ３」、「アンプモニタ」、「環境設定２」）のうち、メニュー画面３１に表示したい操作項目について、非表示（ＯＦＦ）から表示（ＯＮ）へと選択する（図７に示した状態）。
【００２４】
次に、所定操作により、図８に示すように、表示部２０にパスワード画面３３を表示し、該パスワード画面３３にて「ユーザ名」と「パスワード」を入力可能にするため、パスワード画面３３の上部にある「ユーザ登録（ＵＳＢ）」を押下する。そして、パスワード画面３３に表示された「ユーザ名」と「パスワード」の入力欄に、所望する「ユーザ名」と「パスワード」とを入力し、さらに再確認のため「パスワード（再入力）」にも「パスワード」を入力する。なお、本実施形態においては、図８に示すように、「ユーザ名」は「ＡＢＣ」、「パスワード」は「ＸＹＺ」とする。
【００２５】
「ユーザ名」と「パスワード」との入力後、パスワード画面３３の「ＯＫ」を押下すると、入力した「ユーザ名」である「ＡＢＣ」と「パスワード」である「ＸＹＺ」のほか、図７で表示（ＯＮ）として選択した操作項目が、ＵＳＢメモリ３０に記憶される。
【００２６】
そして、例えば、複数あるうちの何れかの射出成形機１で、ＵＳＢメモリ３０に記憶させた操作項目を表示する必要が生じたときには、その射出成形機１のＵＳＢポート２５へ、操作項目、ユーザ名及びパスワードの記憶されたＵＳＢメモリ３０を接続し、当該接続に基づき表示部２０に表示されたパスワード画面３３にて「ユーザ変更」を押下し、それに伴い表示された図９に示す「リスト」をプルダウンして、ＵＳＢメモリ３０に記憶されているデータを使用するという趣旨で、当該プルダウンする「リスト」の中から、「ＵＳＢ＿ｕｓｅｒ」を選択する。すると、図１０に示すように、パスワード画面３３の上部には、ＵＳＢメモリ３０に記憶されているユーザ名である「ＡＢＣ」が表示される。
【００２７】
ここで、図１１に示すように、パスワード入力欄にパスワードである「ＸＹＺ」を入力し、「ＯＫ」を押下すると、制御部１８が、入力したパスワードがＵＳＢメモリ３０に記憶されているパスワードと一致するか否かの判定を行い、一致するとして判定されたときには、制御部１８の指令に基づき、画面表示処理部２３が、図１２に示すように、表示部２０にメニュー画面３１を表示し、当該メニュー画面３１上に、ＵＳＢメモリ３０に記憶されている操作項目（図７で「ＯＮ」を選択した操作項目）を一覧として表示する。
【００２８】
なお、ＵＳＢメモリ３０に記憶されている操作項目をメニュー画面３１上に一覧として表示するためには、ＵＳＢメモリ３０が射出成形機１に接続されていなければならず、射出成形機１からＵＳＢメモリ３０を取り外して非接続状態にしたときには、メニュー画面３１上に表示状態にある操作項目の一覧は非表示となる。また、メニュー画面３１上に表示状態にある操作項目の一覧が非表示になったときには、グループに応じて特定の操作項目が表示されるよう予め設定されている場合には、画面表示処理部２３が、最も下位階層のグループに付与されている特定の操作項目を表示部２０のメニュー画面３１上に表示する。
【００２９】
以上のように、本実施形態の射出成形機１の操作方法によれば、ユーザの属するグループに応じて、特定の操作項目が表示されるよう制限が設定されている射出成形機１が複数ある場合において、操作項目、ユーザ名及びパスワードを記憶したＵＳＢメモリ３０を、使用したい射出成形機１に接続して、その状態でパスワード等を入力し、入力されたパスワードが、射出成形機１に接続中のＵＳＢメモリ３０に記憶されたパスワードと一致しているとして判定された場合、表示部２０のメニュー画面３１上に操作項目を表示することができる。よって、例えば、射出成形機１が多数ある場合において、各射出成形機に対しＵＳＢメモリ３０を接続してパスワードを入力することにより、各射出成形機１で簡単に所望する操作項目であるＵＳＢメモリ３０に記憶された操作項目を表示することが可能であり利便性が高い。
【００３０】
さらに、射出成形機１にＵＳＢメモリ３０を接続して、パスワード画面３３のパスワード入力欄で入力したパスワードが、ＵＳＢメモリ３０に記憶されたパスワードに一致するか否かの判定が行われ、一致しているとして判定されたときには、ＵＳＢメモリ３０に記憶されている操作項目が表示部２０に表示されることになるのだが、パスワードが一致するか否かの判定のみに基づいて、操作項目が表示部２０のメニュー画面３１上に表示されるのではなく、操作項目、ユーザ名及びパスワードを記憶したＵＳＢメモリ３０自体が、表示部２０のメニュー画面３１上に操作項目を表示するための要件となっており、すなわち当該ＵＳＢメモリ３０が鍵の代わりとなっており、それによりセキュリティ上の安全性を高めることができる。
【００３１】
さらに、操作項目、ユーザ名及びパスワードを記憶したＵＳＢメモリ３０が射出成形機１に接続され、操作項目が表示部２０のメニュー画面３１上に表示されているときに、射出成形機１からＵＳＢメモリ３０を取り外して非接続状態になったときには、これに基づき、射出成形機１の表示部２０に表示されていた、操作項目の表示されたメニュー画面３１上は非表示に切り替わることから、セキュリティ上の安全性を高めることができる。そして、操作項目の表示されていたメニュー画面３１が非表示に切り替わったときには、複数のグループのうち最下位のグループである「シンプル」に付与されている特定の操作項目がデフォルトとして表示部２０のメニュー画面３１上に表示されることから（図４に示した状態）、比較的重要性の低い最下位のグループに付与されている特定の操作項目が表示部２０に表示されることで、セキュリティ上の安全性を保ちながらも、利便性の向上を図ることができる。
【符号の説明】
【００３２】
１  射出成形機（成形機）
２  機台
３  射出ユニット
４  型締ユニット
５  固定ダイプレート
６  固定金型
７  可動ダイプレート
８  可動金型
９  トグルリンク機構
１０  射出ノズル
１１  加熱シリンダ
１２  スクリュー
１６  記憶部
１７  機構制御部
１８  制御部
２０  表示部
２１  入力部
２２  タッチパネル
２３  画面表示処理部
２４  入力処理部
２５  ＵＳＢポート（接続部）
３０  ＵＳＢメモリ（外部メモリ）
３１  メニュー画面
３２  画面選択画面
３３  パスワード画面
【図１】
0006479387.tif 000002
【図２】
0006479387.tif 000003
【図３】
0006479387.tif 000004
【図４】
0006479387.tif 000005
【図５】
0006479387.tif 000006
【図６】
0006479387.tif 000007
【図７】
0006479387.tif 000008
【図８】
0006479387.tif 000009
【図９】
0006479387.tif 000010
【図１０】
0006479387.tif 000011
【図１１】
0006479387.tif 000012
【図１２】
0006479387.tif 000013